(57)【要約】【課題】少ない位置決め回数で製造できるコンデンサ装置を提供する。【解決手段】正極６ｂと負極６ａを備えているコンデンサ素子４と、正極バスバ８ｂと、負極バスバ８ａと、容器２を備えており、正極バスバ８ｂが正極６ｂに接続されているとともに負極バスバ８ａが負極６ａに接続されている状態のコンデンサ素子４が容器２に収容されており、正極バスバ８ｂの上端部と負極バスバ８ａの上端部が容器２の外に引き出されており、正極バスバ８ｂと正極６ｂの接続位置に対向する位置において容器２に正極用貫通孔２８ｂが形成されており、負極バスバ８ａと負極６ａの接続位置に対向する位置において容器２に負極用貫通孔が形成されている。正極用貫通孔２８ｂから治具１０ｂを挿入して正極バスバ８ｂと正極６ｂを接続し、負極用貫通孔から治具１０ａを挿入して負極バスバ８ａと負極６ａを接続する。【選択図】図１
2013062276.tif 000002
【特許請求の範囲】
【請求項１】
正極と負極を備えているコンデンサ素子と、
正極バスバと、
負極バスバと、
容器を備えており、
正極バスバが正極に接続されているとともに負極バスバが負極に接続されている状態のコンデンサ素子が容器に収容されており、
正極バスバの端部と負極バスバの端部が容器外に引き出されており、
正極バスバと正極の接続位置に対向する位置において容器を構成する壁に正極用貫通孔が形成されており、
負極バスバと負極の接続位置に対向する位置において容器を構成する壁に負極用貫通孔が形成されており、
容器と容器に収容されているコンデンサ素子の間に樹脂が充填されており、
その樹脂が正極用貫通孔と負極用貫通孔を閉塞していることを特徴とするコンデンサ装置。
【請求項２】
正極用貫通孔と負極用貫通孔の各々が、貫通孔の周囲を取り巻く容器外面に接着されている金属箔で塞がれていることを特徴とする請求項１のコンデンサ装置。
【請求項３】
正極と負極を備えているコンデンサ素子と、
正極バスバと、
負極バスバと、
上面が開放されている容器を備えており、
正極バスバが正極に接続されているとともに負極バスバが負極に接続されている状態のコンデンサ素子が容器に収容されており、
正極バスバの端部と負極バスバの端部が容器外に引き出されており、
正極バスバと正極の接続位置と負極バスバと負極の接続位置のうちの一方が容器底面に対向しているとともに、その接続位置に対向する位置の底面に貫通孔が形成されており、
正極バスバと正極の接続位置と負極バスバと負極の接続位置のうちの他方が開放された容器上面に対向しており、
容器と容器に収容されているコンデンサ素子の間に樹脂が充填されており、
その樹脂が容器底面に形成されている貫通孔を閉塞していることを特徴とするコンデンサ装置。
【請求項４】
容器底面に形成されている貫通孔が、貫通孔の周囲を取り巻く容器外面に接着されている金属箔で塞がれていることを特徴とする請求項３のコンデンサ装置。
【請求項５】
容器を構成する壁に正極用貫通孔と負極用貫通孔が形成されている容器を準備する工程と、
正極と負極を備えているコンデンサ素子を容器に収容する工程と、
正極バスバの一端と負極バスバの一端を容器内に挿入する工程と、
正極用貫通孔に対向する位置で正極バスバと正極が接触し、負極用貫通孔に対向する位置で負極バスバと負極が接触する位置関係が得られるように、容器に対してコンデンサ素子と正極バスバと負極バスバを位置決めする工程と、
正極用貫通孔から治具を挿入して正極バスバと正極を接続し、負極用貫通孔から治具を挿入して負極バスバと負極を接続する工程を備えているコンデンサ装置の製造方法。
【請求項６】
上面が開放されているとともに底面に貫通孔が形成されている容器を準備する工程と、
正極と負極を備えているコンデンサ素子を容器に収容する工程と、
正極バスバの一端と負極バスバの一端を容器内に挿入する工程と、
貫通孔に対向する位置で、正極バスバと正極、または、負極バスバと負極のうちの一方が接触する位置関係が得られるように、容器に対してコンデンサ素子と正極バスバと負極バスバを位置決めする工程と、
貫通孔から治具を挿入して、正極バスバと正極、または、負極バスバと負極のうちの一方を接続する工程と、
開放されている上面から治具を挿入して、正極バスバと正極、または、負極バスバと負極の他方を接続する工程と、
を備えているコンデンサ装置の製造方法。
【発明の詳細な説明】
【技術分野】
【０００１】
本明細書では、コンデンサ素子が容器に収容されているコンデンサ装置と、そのコンデンサ装置の製造方法に関する技術を開示する。
【背景技術】
【０００２】
コンデンサ素子が容器に収容されているコンデンサ装置が、特許文献１に開示されている。コンデンサ素子は、正極と負極を備えている。コンデンサ素子との電気的接続を得るために、正極バスバと負極バスバが利用される。正極バスバが正極に接続されているとともに負極バスバが負極に接続されている状態のコンデンサ素子が容器に収容されている。正極バスバの端部と負極バスバの端部は容器外に引き出されている。
【０００３】
コンデンサ装置を製造する場合、容器外で、正極バスバを正極に接続し、負極バスバを負極に接続する。その後に、正極バスバが正極に接続されているとともに負極バスバが負極に接続されている状態のコンデンサ素子を容器に収容し、コンデンサ素子を容器内で固定する。
【先行技術文献】
【特許文献】
【０００４】
【特許文献１】特開２０００−３２３３５６号公報
【発明の概要】
【発明が解決しようとする課題】
【０００５】
従来のコンデンサ装置とその製造方法によると、位置決め回数が多い。すなわち、容器外で正極バスバと正極を位置決めし、容器外で負極バスバと負極を位置決めし、容器内で容器とコンデンサ素子を位置決めする必要がある。
【０００６】
本明細書では、少ない位置決め回数で製造できるコンデンサ装置を開示する。あるいは少ない位置決め回数でコンデンサ装置を製造できる製造方法を開示する。
【課題を解決するための手段】
【０００７】
本明細書で開示するコンデンサ装置は、正極と負極を備えているコンデンサ素子と、正極バスバと、負極バスバと、容器を備えている。正極バスバが正極に接続されているとともに負極バスバが負極に接続されている状態のコンデンサ素子が容器に収容されている。正極バスバの端部と負極バスバの端部は、容器外に引き出されている。正極バスバと正極の接続位置に対向する位置において容器を構成する壁に正極用貫通孔が形成されている。負極バスバと負極の接続位置に対向する位置において容器を構成する壁に負極用貫通孔が形成されている。容器と容器に収容されているコンデンサ素子の間に樹脂が充填されており、その樹脂が正極用貫通孔と負極用貫通孔を閉塞している。
【０００８】
このコンデンサ装置は、容器に形成されている正極用貫通孔を利用することによって容器内で正極バスバと正極を接続することができ、容器に形成されている負極用貫通孔を利用することによって容器内で負極バスバと負極を接続することができる。容器内で容器とコンデンサ素子と正極バスバと負極バスバを位置決めすることで製造することができる。少ない位置決め回数で製造することができる。
【０００９】
正極用貫通孔と負極用貫通孔の各々が、貫通孔の周囲を取り巻く容器外面に接着されている金属箔で塞がれていることが好ましい。
その場合、正極用貫通孔と負極用貫通孔から容器内に水分が吸収されて容器とコンデンサ素子の間を充填している樹脂に水分が浸透することを防止できる。また、容器とコンデンサ素子の間に樹脂を充填する際に、硬化前の樹脂が正極用貫通孔と負極用貫通孔から容器外に漏れでることもない。
【００１０】
上面が開放されている容器を利用する場合、容器に一個の貫通孔を設けることによって製造時に必要とされる位置決め回数を少なくできる。この場合のコンデンサ装置は、正極と負極を備えているコンデンサ素子と、正極バスバと、負極バスバと、上面が開放されている容器を備えている。正極バスバが正極に接続されているとともに負極バスバが負極に接続されている状態のコンデンサ素子が容器に収容されている。正極バスバの端部と負極バスバの端部が容器外に引き出されている。正極バスバと正極の接続位置と負極バスバと負極の接続位置のうちの一方が容器底面に対向しているとともに、その接続位置に対向する位置の底面に貫通孔が形成されている。正極バスバと正極の接続位置と負極バスバと負極の接続位置のうちの他方が開放された容器上面に対向している。容器と容器に収容されているコンデンサ素子の間に樹脂が充填されており、その樹脂が容器底面に形成されている貫通孔を閉塞している。
【００１１】
このコンデンサ装置は、容器底面の貫通孔から治具を挿入して底面側のバスバを底面側の電極に接続することができる。また容器上面から治具を挿入して上面側のバスバを上面側の電極に接続することができる。容器内で容器とコンデンサ素子と正極バスバと負極バスバを位置決めすることで製造することができる。少ない位置決め回数で製造することができる。
容器は、容器上面から治具を挿入して上面側のバスバを上面側の電極に接続する際に上面が開放されておればよく、その後は蓋を被せて閉塞してもよい。ここでいう上面が開放されている容器とは、容器自体の上面が開放されていることをいい、蓋によって閉塞されていても、容器自体の上面は開放されているといえる。
【００１２】
容器底面の貫通孔が、貫通孔の周囲を取り巻く容器外面に接着されている金属箔で塞がれていることが好ましい。
その場合、容器底面の貫通孔から容器内に水分が吸収されて容器とコンデンサ素子の間を充填している樹脂に水分が浸透することを防止できる。また、容器とコンデンサ素子の間に樹脂を充填する際に、硬化前の樹脂が正極用貫通孔と負極用貫通孔から容器外に漏れでることもない。
【００１３】
本明細書に開示されている製造方法は、容器を構成する壁に正極用貫通孔と負極用貫通孔が形成されている容器を準備する工程と、正極と負極を備えているコンデンサ素子を容器に収容する工程と、正極バスバの一端と負極バスバの一端を容器内に挿入する工程と、正極用貫通孔に対向する位置で正極バスバと正極が接触し、負極用貫通孔に対向する位置で負極バスバと負極が接触する位置関係が得られるように、容器に対してコンデンサ素子と正極バスバと負極バスバを位置決めする工程と、正極用貫通孔から治具を挿入して正極バスバと正極を接続し、正極用貫通孔から治具を挿入して負極バスバと負極を接続する工程を備えている。
正極バスバと正極の接続作業と、負極バスバと負極を接続作業は、同時に実施してもよいし、逐次に実施してもよい。
【００１４】
本明細書に開示されている他の製造方法は、上面が開放されているとともに底面に貫通孔が形成されている容器を準備する工程と、正極と負極を備えているコンデンサ素子を容器に収容する工程と、正極バスバの一端と負極バスバの一端を容器内に挿入する工程と、貫通孔に対向する位置で、正極バスバと正極、または、負極バスバと負極のうちの一方が接触する位置関係が得られるように、容器に対してコンデンサ素子と正極バスバと負極バスバを位置決めする工程と、貫通孔から治具を挿入して、正極バスバと正極、または、負極バスバと負極のうちの一方を接続する工程と、開放されている上面から治具を挿入して、正極バスバと正極、または、負極バスバと負極の他方を接続する工程を備えている。
換言すれば、底面に形成されている貫通孔に対向する位置で底面側バスバと底面側電極が接触する位置関係が得られるように、容器に対してコンデンサ素子と正極バスバと負極バスバを位置決めする工程と、貫通孔から治具を挿入して底面側バスバと底面側電極を接続する工程と、上面から治具を挿入して上面側バスバと上面側電極を接続する工程を備えている。
【発明の効果】
【００１５】
本明細書に記載されているコンデンサ装置とその製造方法によると、容器とコンデンサ素子と正極バスバと負極バスバを位置決めする回数を少なくすることができる。少ない位置決め回数で製造することができる。
【図面の簡単な説明】
【００１６】
【図１】容器内で、容器とコンデンサ素子と正極バスバと負極バスバを位置決めし、正極バスバを正極に接続し、負極バスバを負極に接続する様子を模式的に示す。ただし、図示の明瞭化のために、容器を仮想線で示している。
【図２】コンデンサ素子の端面近傍の拡大断面を示す。図１のII−II線の高さにおける断面を示す。
【図３】コンデンサ素子の断面図の別例を示す。
【図４】容器内で、正極バスバを正極に接続し、負極バスバを負極に接続する様子を模式的に示す。
【図５】容器とコンデンサ素子の間に樹脂を充填したコンデンサ装置の断面を示す。
【図６】容器内でコンデンサ素子の電極とバスバを接続する別例１を示す。
【図７】容器内でコンデンサ素子の電極とバスバを接続する別例２を示す。
【図８】容器内でコンデンサ素子の電極とバスバを接続する別例３を示す。
【図９】容器とコンデンサ素子の間に樹脂を充填した別のコンデンサ装置の断面を示す。
【発明を実施するための形態】
【００１７】
下記に示す実施例の主要な特徴を列記する。
（特徴１）コンデンサ素子は、誘電体シートの表面に正極シートが形成されているシートと、誘電体シートの表面に負極シートが形成されているシートを重ねて巻いたものである。
（特徴２）コンデンサ素子は、誘電体シートと正極シートと誘電体シートと負極シートを重ねて巻いたものである。
（特徴３）右端にまで正極シートは伸びてきているけれども負極シートは伸びてきておらず、左端にまで負極シートは伸びてきているけれども正極シートは伸びてきていない状態に重ねられたシートを巻いて、特徴１または２のコンデンサ素子が形成されている。
（特徴４）右端にまで伸びてきている正極シートが巻かれた部分の端面に金属溶射膜が形成されている。巻かれた状態の正極シートと、その端面を覆っている金属溶射膜によってコンデンサ素子の正極が形成されている。
（特徴５）左端にまで伸びてきている負極シートが巻かれた部分の端面に金属溶射膜が形成されている。巻かれた状態の負極正極シートと、その端面を覆っている金属溶射膜によってコンデンサ素子の負極が形成されている。
（特徴６）支持治具を用いて、容器とコンデンサ素子と正極バスバと負極バスバを位置決めする。その支持治具で支持されている状態で、正極バスバと正極を接続し、負極バスバと負極を接続し、容器とコンデンサ素子の間に流動性樹脂を注入して硬化させる。
【実施例】
【００１８】
図５は、コンデンサ素子４の負極６ａにはんだ３０ａによって負極バスバ８ａが接続されており、コンデンサ素子４の正極６ｂにはんだ３０ｂによって正極バスバ８ｂが接続されており、その状態のコンデンサ素子４が容器２に収容されており、コンデンサ素子４と容器２の間に硬化した樹脂３４が充填されている状態のコンデンサ装置の断面図を示している。負極バスバ８ａと正極バスバ８ｂが通過するスリットが形成されている蓋を被せて容器２の上面を閉じてもよい。
【００１９】
容器２のうちの、負極６ａと負極バスバ８ａに対向する面に負極用貫通孔２８ａが形成されており、負極用貫通孔２８ａは金属箔３２ａで閉じられている。金属箔３２ａは、負極用貫通孔２８ａを取り囲んでいる容器外壁にエポキシ樹脂で接着されている。同様に、正極６ｂと正極バスバ８ｂに対向する面に正極用貫通孔２８ｂが形成されており、正極用貫通孔２８ｂは金属箔３２ｂで閉じられている。金属箔３２ｂも、正極用貫通孔２８ｂを取り囲んでいる容器外壁にエポキシ樹脂で接着されている。金属箔３２ａが容器外壁に接着され、金属箔３２ｂが容器外壁に接着された後に、コンデンサ素子４と容器２の間に液状の樹脂３４を流し込み、それを固化することでコンデンサ装置が完成している。負極バスバ８ａの一端（この場合は上端）と正極バスバ８ｂの一端（上端）は容器２の外に引き出されている。
図５のコンデンサ装置は、正極６ｂと負極６ａを備えているコンデンサ素子４と、正極バスバ８ｂと、負極バスバ８ａと、容器２を備えている。正極バスバ８ｂが正極６ｂに接続されているとともに負極バスバ８ａが負極６ａに接続されている状態のコンデンサ素子４が容器２に収容されている。正極バスバ８ｂの上端部と負極バスバ８ａの上端部は、容器２の外側に引き出されている。正極バスバ８ｂと正極６ｂの接続位置に対向する位置において容器２を構成する壁に正極用貫通孔２８ｂが形成されている。負極バスバ８ａと負極６ａの接続位置に対向する位置において容器２を構成する壁に負極用貫通孔２８ａが形成されている。容器２と容器に収容されているコンデンサ素子４の間に樹脂３４が充填されており、樹脂３４が正極用貫通孔２８ｂと負極用貫通孔２８ｂを閉塞している。また正極用貫通孔２８ｂと負極用貫通孔２８ａの各々が、貫通孔の周囲を取り巻く容器２の外面に接着されている金属箔３０ｂと金属箔３０ａで塞がれていることがわかる。
【００２０】
図１は、容器２内で容器２に対してコンデンサ素子４と負極バスバ８ａと正極バスバ８ｂを位置決めし、負極用貫通穴２８ａ（図１では図示されていない）からはんだごて１０ａとはんだ材１２ａを挿入してコンデンサ素子４の負極６ａと負極バスバ８ａをはんだで接続し、正極用貫通穴２８ｂからはんだごて１０ｂとはんだ材１２ｂを挿入してコンデンサ素子４の正極６ｂと正極バスバ８ｂをはんだで接続している様子を示す。図示の明瞭化のために、容器２は仮想線で示している。
図４は、正極側についてははんだ３０ｂで正極バスバ８ｂと正極６ｂが接続された状態を示している。負極側については、はんだ材１２ａとはんだこて１０ａで負極バスバ８ａと負極６ａを接続している状態を示している。
図示しない支持治具によって、容器２とコンデンサ素子４と正極バスバ８ｂと負極バスバ８ａを、図１と図４に示す位置に位置決めして固定する。その支持治具で支持されている状態で、正極バスバ８ｂと正極６ｂを接続し、負極バスバ８ａと負極６ａを接続し、容器２とコンデンサ素子４の間に流動性樹脂を注入して硬化させる。
図１と図４に示すコンデンサ装置の製造方法は、正極用貫通孔２８ｂと負極用貫通孔２８ａが形成されている容器２を準備する工程と、正極６ｂと負極６ａを備えているコンデンサ素子４を容器２に収容する工程と、正極バスバ８ｂの一端（この場合は下端）と負極バスバ８ａの一端（下端）を容器２内に挿入する工程と、正極用貫通孔２６ｂに対向する位置で正極バスバ８ｂと正極６ｂが接触し、負極用貫通孔２６ａに対向する位置で負極バスバ８ａと負極６ａが接触する位置関係が得られるように容器２に対してコンデンサ素子４と正極バスバ８ｂと負極バスバ８ａを位置決めする工程と、正極用貫通孔２６ｂから治具（はんだこて）１０ｂを挿入して正極バスバ８ｂと正極６ｂを接続し、負極用貫通孔２６ａから治具１０ａを挿入しては負極バスバ８ａと負極６ａを接続する工程を備えていることがわかる。
【００２１】
図２は、コンデンサ素子４の正極６ｂの近傍の断面図を示している。コンデンサ素子４は、誘電体シート１６の表面に正極シート１４が形成されているシート１８と、誘電体シート２２の表面に負極シート２０が形成されているシート２４を重ねて巻いたものである。正極シート１４は右端にまで伸びているが、負極シート２０は右端にまでは届いていない。重ねて巻いた状態の右端面には、正極シート１４は露出しているが、負極シート２０は臨んでいない。重ねて巻いた状態の右端面に溶融金属を溶射して金属膜を形成すると、それが正極６ｂとなる。正極６ｂはメタリコンの膜である。
図示はしないが、重ねて巻いた状態の左端面には、負極シート２０は露出しているが、正極シート１４は臨んでいない。重ねて巻いた状態の左端面に溶融金属を溶射して金属膜を形成すると、それが負極６ａとなる。負極６ａもメタリコンの膜である。
図３は、別のコンデンサ素子の断面を示している。コンデンサ素子は、正極シート１４と誘電体シート１６と負極シート２０と誘電シート２２を重ねて巻いたものである。この場合も、重ねて巻いた状態の右端面に溶融金属を溶射してメタリコン膜を形成すると、それが正極６ｂとなり、重ねて巻いた状態の左端面に溶融金属を溶射してメタリコン膜を形成すると、それが負極６ａとなる。
【００２２】
図６は、正極６ｂと正極バスバ８ｂの別の接続方法を示している。この方法では、正極６ｂと正極バスバ８ｂの間にはんだ箔３６を挿入しておく。はんだ箔３６は、正極用貫通孔２８ｂに対向する位置に配置しておく。図示の治具１０ｂは加熱された棒であり、正極用貫通孔２８ｂから治具１０ｂを挿入して正極バスバ８ｂに当接させると、はんだ箔３６が溶融して正極６ｂと正極バスバ８ｂがはんだ接続される。図示はしないが、同様な方法で、負極６ａと負極バスバ８ａをはんだ接続することができる。
【００２３】
図７は、正極６ｂと正極バスバ８ｂの別の接続方法を示している。この方法では、正極バスバ８ｂに貫通穴８ｃを設けておく。貫通穴８ｃは正極用貫通孔２８ｂに対応する位置に設けておく。その穴にはんだ３８を充填して正極６ｂに正極バスバ８ｂをはんだ接続する。図示はしないが、同様な方法で、負極６ａと負極バスバ８ａをはんだ接続することができる。
【００２４】
図８は、正極６ｂと正極バスバ８ｂの別の接続方法を示している。この方法では、正極用貫通穴２８ｂから超音波溶接用ホーン４０を挿入して正極６ｂと正極バスバ８ｂを超音波溶接する。図示はしないが、同様な方法で、負極６ａと負極バスバ８ａを超音波溶接することができる。
また図示はしないが、正極用貫通穴２８ｂからレーザ光を照射して正極６ｂと正極バスバ８ｂをレーザ溶接してもよい。同様な方法で、負極６ａと負極バスバ８ａをレーザ溶接することができる。
【００２５】
図９のコンデンサ装置は、正極４６ｂと負極４６ａを備えているコンデンサ素子４４と、正極バスバ４８ｂと、負極バスバ４８ａと、上面が開放されている容器４２を備えている。正極バスバ４８ｂが正極４６ｂに接続されているとともに負極バスバ４８ａが負極４６ａに接続されている状態のコンデンサ素子４４が容器４２に収容されている。正極バスバ４８ｂの上端部と負極バスバ４８ａの上端部は、容器２の外側に引き出されている。正極バスバ４８ｂと正極４６ｂの接続位置は、容器２の底面に対向している。その接続位置に対向する位置の底面に、正極用貫通孔５０ｂが形成されている。負極バスバ４８ａと負極４６ｂの接続位置は、容器上面に対向しており、容器２の外部から接近することができる。容器４２と容器に収容されているコンデンサ素子４４の間に樹脂５４が充填されており、樹脂５４が容器４２の底面に形成されている貫通孔５０ｂを閉塞している。貫通孔５０ｂは金属箔５２で閉じられている。金属箔５２は容器４２の外面に接着されている。
このコンデンサ装置も、容器４２の内部で、容器４２に対してコンデンサ素子４４と正極バスバ４８ｂと負極バスバ４８ａを位置決めした状態で、正極用貫通孔５０ｂから治具を挿入して正極バスバ４８ｂと正極４６ｂをはんだ５６ｂで接続することができる。また開放された容器２の上面から治具を挿入して負極バスバ４８ａと負極４６ａをはんだ５６ａで接続することができる。このコンデンサ装置も、少ない位置決め回数で製造することができる。
図９では、はんだ接続する例を示しているが、図６から図８を参照して説明した各種接続技術を利用することもできる。また、容器４２の底面側に負極４６ａと負極バスバ４８ａを配置し、容器４２の上面側に正極４６ｂと正極バスバ４８ｂを配置してもよい。この場合、底面に形成しておく貫通穴５０ｂが負極用貫通孔となる。この場合も、貫通穴５０ｂを金属箔５２で塞いでおいて、樹脂を注入する。
【００２６】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００２７】
２，４２：容器
４，４４：コンデンサ素子
６ａ，４６ａ：負極
６ｂ，４６ｂ：正極
８ａ，４８ａ：負極バスバ
８ｂ，４８ｂ：正極バスバ
１０ａ，１０ｂ：はんだこて(治具)
１２ａ，１２ｂ：はんだ材
２８ａ，２８ｂ，５０ｂ：貫通穴
３０ａ，３０ｂ，５６ａ，５６ｂ：はんだ
３２ａ，３２ｂ，５２：金属箔
３４，５４：樹脂
【図１】
2013062276.tif 000003
【図２】
2013062276.tif 000004
【図３】
2013062276.tif 000005
【図４】
2013062276.tif 000006
【図５】
2013062276.tif 000007
【図６】
2013062276.tif 000008
【図７】
2013062276.tif 000009
【図８】
2013062276.tif 000010
【図９】
2013062276.tif 000011